(57)【要約】      （修正有）【課題】ベルト式真空包装機において、チャンバーと搬送ベルトを介してチャンバー台との空間を真空状態に保つ、簡易な構造で、安価に製造できるベルト式真空包装機におけるチャンバー、またはチャンバー台の真空保持パッキンを提供する。【解決手段】搬送ベルトＹを介し上方にチャンバー１、下方にチャンバー台２を有するベルト式真空包装機であって、ベルトの厚みを厚く形成し、チャンバーの縁端にはゴムパッキンを設けず、ベルトの厚みをパッキン代わりにする。また、搬送ベルトを介し上方にチャンバー、下方にチャンバー台を有するベルト式真空包装機であって、チャンバーの搬送ベルトとの当接面、即ち、チャンバーの縁端に、抜け防止板を取付け、これらの縁端と抜け防止板とを一体に覆うゴムパッキンを装着すること、そして、チャンバーと搬送ベルトを介して当接するチャンバー台の応当する箇所に、周囲にゴム板を設ける。【選択図】図３
0003107534.tif 000002
【実用新案登録請求の範囲】
【請求項１】
搬送ベルト（Ｙ）を介して上方にチャンバー（１）、下方にチャンバー台（２）を有するベルト式真空包装機（Ｘ）であって、搬送ベルト（Ｙ）の厚みを厚く形成し、チャンバー（１）の縁端にはゴムパッキンを設けないで搬送ベルト（Ｙ）の厚みをパッキン代わりにすることを特徴とするベルト式真空包装機におけるチャンバーの真空保持パッキン。
【請求項２】
搬送ベルト（Ｙ）を介して上方にチャンバー（１）、下方にチャンバー台（２）を有するベルト式真空包装機（Ｘ）であって、該チャンバー（１）の搬送ベルト（Ｙ）との当接面、即ち、チャンバー（１）の縁端（３）に、抜け防止板（４）を取付け、これらの縁端（３）と抜け防止板（４）とを一体に覆うゴムパッキン（５）を装着することを特徴とするベルト式真空包装機におけるチャンバーの真空保持パッキン。
【請求項３】
搬送ベルト（Ｙ）を介して上方にチャンバー（１）、下方にチャンバー台（２）を有するベルト式真空包装機（Ｘ）であって、該チャンバー（１）と搬送ベルト（Ｙ）を介して当接するチャンバー台（２）の応当する箇所に、周囲にわたってゴム板（６）を設けたことを特徴とするベルト式真空包装機におけるチャンバー台の真空保持パッキン。
【考案の詳細な説明】
【技術分野】
【０００１】
この考案は、ベルト式真空包装機におけるチャンバー、またはチャンバー台の真空保持パッキンに関する。
【背景技術】
【０００２】
従来、包装袋の内部を真空にするベルト式真空包装機は、搬送ベルトを介して、上部にチャンバーを設け、下部にチャンバー台を設けており、搬送ベルト上に商品を入れた包装袋を載置し、チャンバーを搬送ベルトを介してチャンバー台と閉塞し、この空間を真空状態にして、包装袋の内部を真空にして包装するものである。
【０００３】
そして、このようなベルト式真空包装機は、チャンバーの縁面であって搬送ベルトとの当接面の全周に溝を穿設し、該溝内にゴムパッキンを挿入して、チャンバーと搬送ベルトとの間との空間を真空状態に保っていた。
【０００４】
しかし、このチャンバーの縁面で、かつ、全周に溝を穿設することは技術的に困難であり、コストの面でも高くなるという欠点があった。
【考案の開示】
【考案が解決しようとする課題】
【０００５】
そこで、この考案は、ベルト式真空包装機において、チャンバーと搬送ベルトを介してチャンバー台との空間を真空状態に保つにあたり、簡易な構造でしかも安価に製造できるベルト式真空包装機におけるチャンバー、またはチャンバー台の真空保持パッキンを開発することにある。
【課題を解決するための手段】
【０００６】
この考案は、搬送ベルトを介して上方にチャンバー、下方にチャンバー台を有するベルト式真空包装機であって、搬送ベルトの厚みを厚く形成し、チャンバーの縁端にはゴムパッキンを設けないで搬送ベルトの厚みをパッキン代わりにするものであり、または、該チャンバーの搬送ベルトとの当接面、即ち、チャンバーの縁端に、抜け防止板を取付け、これらの縁端と抜け防止板とを一体に覆うゴムパッキンを装着するものであり、さらに、該チャンバーと搬送ベルトを介して当接するチャンバー台の応当する箇所に、周囲にわたってゴム板を設けたことを特徴とするベルト式真空包装機におけるチャンバー台の真空保持パッキンである。
【考案の効果】
【０００７】
この考案によると、搬送ベルト（Ｙ）を挟んで、当接するチャンバー（１）とチャンバー台（２）において、厚みを厚い搬送ベルト（Ｙ）を用いることにより、その弾力性を利用してチャンバー（１）側にゴムパッキンを用いることなく、チャンバー（１）と搬送ベルト（Ｙ）との空間の真空状態を保持することができるという効果を奏する。
【０００８】
また、チャンバーの搬送ベルト（Ｙ）との当接面、即ち、チャンバー（１）の縁端に、抜け防止板（４）を取付け、これらの縁端と抜け防止板（４）とを一体に覆うゴムパッキン（５）を装着することにより、該ゴムパッキン（５）の弾力性を利用してチャンバー（１）と搬送ベルト（Ｙ）との空間の真空状態を確保することができ、また、抜け防止板（４）により、ゴムパッキン（５）は嵌着により固定でき、その装着作業が簡単であると共に、堅牢で外れ難いという効果を有する。
【０００９】
さらに、チャンバー（１）の縁端にゴムパッキン（５）を装着することにより、搬送ベルト（Ｙ）の厚みが薄くても、真空状態を保持でき、また、チャンバー台（２）側のチャンバーの縁端が応答する箇所にゴム板（６）を設けることにより、同じく真空状態を保持できる等極めて有益なる効果を奏する。
【考案を実施するための最良の形態】
【００１０】
以下、この考案の一実施例を図面に基づいて説明すると、搬送ベルト（Ｙ）を介して上方にチャンバー（１）、下方にチャンバー台（２）を有するベルト式真空包装機（Ｘ）であって、搬送ベルト（Ｙ）の厚みを厚く形成し、チャンバー（１）の縁端にはゴムパッキンを設けないで搬送ベルト（Ｙ）の厚みをパッキン代わりにすることを特徴とするベルト式真空包装機におけるチャンバーの真空保持パッキンから構成される。
【００１１】
次に、この考案の他の実施例を図面に基づいて説明すると、搬送ベルト（Ｙ）を介して上方にチャンバー（１）、下方にチャンバー台（２）を有するベルト式真空包装機（Ｘ）であって、該チャンバー（１）の搬送ベルト（Ｙ）との当接面、即ち、チャンバー（１）の縁端（３）に、抜け防止板（４）を取付け、これらの縁端（３）と抜け防止板（４）とを一体に覆うゴムパッキン（５）を装着することを特徴とするベルト式真空包装機におけるチャンバーの真空保持パッキンから構成される。
【００１２】
さらに、この考案の他の実施例を図面に基づいて説明すると、搬送ベルト（Ｙ）を介して上方にチャンバー（１）、下方にチャンバー台（２）を有するベルト式真空包装機（Ｘ）であって、該チャンバー（１）と搬送ベルト（Ｙ）を介して当接するチャンバー台（２）の応当する箇所に、周囲にわたってゴム板（６）を設けたことを特徴とするベルト式真空包装機におけるチャンバー台の真空保持パッキンから構成されるものである。
【図面の簡単な説明】
【００１３】
【図１】この考案の一実施例を示す真空包装機の全体を示す側面図である。
【図２】この考案の一実施例を示す真空包装機の全体を示す正面図である。
【図３】この考案の一実施例を示す一部欠截要部拡大断面図である。
【図４】（ａ）（ｂ）は、それぞれこの考案の他の実施例を示す一部欠截要部拡大断面図である。
【図５】この考案のさらに、他の一実施例を示す一部欠截要部拡大断面図である。
【図６】従来例を示す。
【符号の説明】
【００１４】
１  チャンバー
２  チャンバー台
３  チャンバーの縁端
４  抜け防止板
５  抜け防止板と一体に覆うゴムパッキン
６  ゴム板
Ｘ  ベルト式真空包装機
Ｙ  搬送ベルト
【図１】
0003107534.tif 000003
【図２】
0003107534.tif 000004
【図３】
0003107534.tif 000005
【図４】
0003107534.tif 000006
【図５】
0003107534.tif 000007
【図６】
0003107534.tif 000008